(57)【要約】      （修正有）【課題】見出片の汚損を防ぎつつ、滑りやすい樹脂製のシートのページを簡単にめくることができるフォルダを提供する。【解決手段】厚手の樹脂シートよりなる台紙シート１１と、台紙シート１１の側辺及び底辺の２辺においてＬ字状に閉塞した収容領域を形成する表紙シート１２ｅと、台紙シート１１及び表紙シート１２ｅの間に配置された複数の仕切シートと、表紙シート１２ｅ及び仕切シートの側辺から延び出た見出片１３ａ〜１３ｅとを備えたフォルダ１０において、見出片１３ａ〜１３ｅとは別に、仕切シートの側辺の上端部付近に階段状に重なるようにして延び出た段差張出部１４を設けた。【選択図】図１
0003202996.tif 000002
【実用新案登録請求の範囲】
【請求項１】
厚手の樹脂シートよりなる台紙シートと、
前記台紙シートの上方に重ね合わされ、前記台紙シートの側辺及び底辺の２辺をＬ字状に閉塞してなる収容領域を形成する表紙シートと、
前記表紙シートと台紙シートとの間に配置された複数の仕切シートと、
前記表紙シート及び仕切シートの各々から延び出るとともに、互いに重なり合わない位置に配置された複数の見出片と、
前記見出片とは異なる位置に形成され、前記複数の仕切シートの各々から延び出た複数の張出部が階段状に重なった段差張出部と、
を備えたことを特徴とするフォルダ。
【請求項２】
前記段差張出部は前記仕切シートの開放された側辺の上端に形成されていることを特徴とする請求項１に記載のフォルダ。
【請求項３】
前記台紙シートは前記表紙シート及び仕切シートよりも幅広に形成されており、前記段差張出部は前記台紙シートによって支持されていることを特徴とする請求項１又は請求項２に記載のフォルダ。
【請求項４】
前記複数の仕切シートの見出片は、前記仕切シートの下端部側に配置されていることを特徴とする請求項１乃至請求項３の何れか１項に記載のフォルダ。
【請求項５】
前記仕切シートは、前記台紙シートの側辺に結合されており、かつ底辺は前記台紙シート及び表紙シートから分離されていることを特徴とする請求項１乃至請求項４の何れか１項に記載のフォルダ。
【考案の詳細な説明】
【技術分野】
【０００１】
本考案は、樹脂シートの間に書類を挟んで保持するフォルダに関する。
【背景技術】
【０００２】
従来より、厚手の樹脂シートよりなる台紙シートの上に、透明な薄手の樹脂シートを重ね合わせて、隣接する２つの側辺及び底辺をＬ字状に閉塞したフォルダがある。このようなフォルダでは、複数の書類を分けて収容するべく、フォルダの表表紙及び裏表紙を構成する樹脂シートの間に、複数の仕切用の樹脂シートを設けて複数のページに仕切った構造となっている。
【０００３】
また、上記のフォルダにおいて、仕切られた各ページに収容した書面を識別するべく、シートに見出片を設けたものもある（特許文献１、２）。
【先行技術文献】
【特許文献】
【０００４】
【特許文献１】特開２０１１−１４３５４６号公報
【特許文献２】特開２０１１−１４３５４５号公報
【考案の概要】
【考案が解決しようとする課題】
【０００５】
従来のフォルダでは、樹脂シート同士が静電気により張り付いたり、樹脂シートが紙などよりも滑りやすいことにより、指でページをめくりにくい。
【０００６】
そこで、使用者はフォルダの見出片を手掛かりにページをめくる操作を行うことが一般的であった。
【０００７】
しかし、このような使い方をすると、見出片を手で頻繁に触ることになり、見出片が汚れてしまったり、見出片に記入された文字が消えてしまい、見出しとしての機能が比較的短期間で失われてしまうという問題がある。
【０００８】
また、従来のフォルダの見出片は互いに重ならないように上下に位置をずらして配置されていたが、このような見出では所望とするページを開くために、指を上下に大きく動かす必要があり使いにくいという問題がある。
【０００９】
そこで、見出片の汚損を防ぎつつ、目的とするページを簡単にめくることができるフォルダを提供することを目的とする。
【課題を解決するための手段】
【００１０】
下記の開示の一観点によれば、厚手の樹脂シートよりなる台紙シートと、前記台紙シートの上方に重ね合わされ、前記台紙シートの側辺及び底辺の２辺をＬ字状に閉塞してなる収容領域を形成する表紙シートと、前記表紙シートと台紙シートとの間に配置された複数の仕切シートと、前記表紙シート及び仕切シートの各々から延び出るとともに、互いに重なり合わない位置に配置された複数の見出片と、前記見出片とは異なる位置に形成され、前記複数の仕切シートの各々から延び出た複数の張出部が階段状に重なった段差張出部と、を備えたフォルダが提供される。
【考案の効果】
【００１１】
上記観点のフォルダによれば、見出片とは別に、階段状に延び出た段差張出部が設けられており、この部分を指でしならせることで、樹脂シートよりなるページを表表紙側から順次めくる動作を行うことができる。
【００１２】
これにより、わずかな指の動きで目的とするページを簡単に開くことができる。
【００１３】
また、ページをめくる度に見出片を手で触ることなく、目的とするページを簡単に開くことができ、見出片の汚損を防止できる。
【図面の簡単な説明】
【００１４】
【図１】図１は、実施形態に係るフォルダの正面図である。
【図２】図２は、図１のフォルダの背面図である。
【図３】図３は、図１のフォルダを分解した状態で示す斜視図である。
【図４】図４は、図１のフォルダの段差張出部の拡大斜視図である。
【図５】図５は、図１のフォルダの使用例を示す斜視図である。
【考案を実施するための形態】
【００１５】
以下、添付の図面を参照して実施形態について説明する。
【００１６】
図１〜図５は、実施形態に係るフォルダを示す図である。
【００１７】
図１及び図３に示すように、実施形態に係るフォルダ１０は、矩形状に成形された台紙シート１１の上に、表紙シート１２ｅを重ねて溶着するとともに、それらの間を複数の仕切シート１２ａ〜１２ｄで仕切った構造となっている。
【００１８】
台紙シート１１、表紙シート１２ｅ及び仕切シート１２ａ〜１２ｄは、例えばポリプロピレンなどの樹脂シートよりなる。これらのシートの中でも台紙シート１１は、他のシートよりも厚手の樹脂シートで形成されており、他のシートを支持する台紙としての機能を担っている。また、表紙シート１２ｅ及び仕切シート１２ａ〜１２ｄは、比較的薄手で柔軟性に富んだ透明な樹脂シートよりなる。
【００１９】
表紙シート１２ｅ及び仕切シート１２ａ〜１２ｄは、例えばＡ３やＡ４等の所定のサイズの用紙を収容できる大きさの矩形状に形成されている。
【００２０】
一方、台紙シート１１は、表紙シート１２ｅ及び仕切シート１２ａ〜１２ｄよりも幅広に形成されている。台紙シート１１の一方の側辺には、フォルダ１０全体の見出しとしてのフラップ１１ａが設けられている。
【００２１】
図３に示す例では、台紙シート１１の上に４枚の仕切シート１２ａ〜１２ｄが順に重ねられており、さらに仕切シート１２ｄの上に表紙シート１２ｅが重ね合わされている。なお、仕切シートの枚数はこれに限定されるものではなく、必要に応じて増減させてもよい。
【００２２】
表紙シート１２ｅは、図１に示すように、仕切シート１２ａ〜１２ｄと共に台紙シート１１の他方の側辺の溶着部１５ａにおいて溶着されている。また、表紙シート１２ｅの底辺部分には、図３に示すように折返部１２１が設けられている。その折返部１２１は台紙シート１１の底辺を覆うようにして折り返され、図２に示すように台紙シート１１の裏表紙側の溶着部１５ｂにおいて台紙シート１１に溶着されている。
【００２３】
このようにして、フォルダ１０は、台紙シート１１の左側の側辺及び底辺の２辺を表紙シート１２ｅでＬ字状に閉塞した収容領域を備え、その収容領域への書類の出し入れは開放された右側の側辺及び上辺の２辺から行うようになっている。そして、フォルダ１０の収容領域は、さらに４枚の仕切シート１２ａ〜１２ｄによって５つのページに仕切られている。
【００２４】
なお、仕切シート１２ａ〜１２ｄは、台紙シート１１の左側の側辺の溶着部１５ａのみで台紙シート１１と結合されており、底辺側は台紙シート１１及び表紙シート１２ｅから分離されている。これにより、仕切シート１２ａ〜１２ｄはページめくる動作を行いやすくなっている。
【００２５】
図３に示すように、仕切シート１２ａ〜１２ｄ及び表紙シート１２ｅには、各ページに収容された書類を識別するための見出片１３ａ〜１３ｅが設けられている。見出片１３ａ〜１３ｅは、例えば、側辺方向に沿った長さが２〜３ｃｍ程度、突出幅が５〜１０ｍｍ程度に形成されている。
【００２６】
見出片１３ａは一番下の仕切シート１２ａの側辺に設けられた突出部であり、フォルダ１０の底辺側に形成されている。
【００２７】
また、見出片１３ｂは、下から二番目の仕切シート１２ｂの側辺から突出しており、見出片１３ａの隣に見出片１３ａと重ならないように、上側に隣接して配置されている。他の見出片１３ｃ、１３ｄ，１３ｅも、同様に、それぞれ仕切シート１２ｃ、１２ｄ及び表紙シート１２ｅの側辺に設けられ、互いに重ならないように位置をずらして配置されている。
【００２８】
これらの見出片１３ａ〜１３ｅには、識別用のシールを貼付したり、文字を記入したりすることにより、各ページに収容した書面の内容を把握できるようになっている。
【００２９】
見出片１３ａ〜１３ｅの先端部は台紙シート１１の側辺と一致するように形成されおり、見出片１３ａ〜１３ｅは台紙シート１１で保護されている。
【００３０】
さらに、本実施形態のフォルダ１０では、見出片１３ａ〜１３ｅとは別の位置に、ページめくり操作用の段差張出部１４を設けている。本実施形態では、図１に示すように、フォルダ１０の右側の側辺の上端に段差張出部１４を設けている。
【００３１】
段差張出部１４の取付位置は、フォルダ１０の側辺の上端に限定されるものではなく、ページをめくりやすい位置に取り付けられていればよい。
【００３２】
段差張出部１４は、図４に示すように、４枚の仕切シート１２ａ、１２ｂ、１２ｃ、１２ｄからそれぞれ延び出た４つの張出部１４ａ、１４ｂ、１４ｃ、１４ｄよりなる。
【００３３】
すなわち、最下層の仕切シート１２ａから延び出た張出部１４ａの上に、仕切シート１２ｂの張出部１４ｂが重なり、その張出部１４ｂの上に仕切シート１２ｃの張出部１４ｃが重なっている。さらに、張出部１４ｃの上に仕切シート１２ｄの張出部１４ｄが重なっている。張出部１４ｄよりも張出部１４ｃ、張出部１４ｃより張出部１４ｂ、張出部１４ｂよりも張出部１４ａの順に突出幅（側辺に直行する方向の長さ）が大きくなっている。
【００３４】
このように、段差張出部１４は、複数の張出部１４ａ〜１４ｄが階段状に重なった構造となっている。
【００３５】
これらの張出部１４ａ〜１４ｄを含む段差張出部１４は、厚手の台紙シート１１の側辺よりも内側に形成されることにより厚手の台紙シート１１で支持されており、段差張出部１４の使用中の変形や破損を防いでいる。
【００３６】
図５に示すように、フォルダ１０で所望のページを開く場合には、指で段差張出部１４を押さえる。そして、台紙シート１１から表紙シート１２ｅまでのシートを撓ませながら、指を側辺の外側へスライドさせてゆく。
【００３７】
これにより、指の押圧から解放された段差張出部１４の上層側の仕切シート１２ｄから順にページが開いてゆき、この操作を続けることで、所望とするページを開くことができる。
【００３８】
従来のフォルダのように樹脂シートを重ねてなるページは、隣接したシート同士が静電気で張り付いていたり、滑りやすく指がかかりにくいため、ページを順にめくる動作を行いにくい。
【００３９】
また、見出片のみで目的とするページを開くため、見出片が汚れるとともに、ページを開くまでに指を大きく移動させる操作が必要であった。
【００４０】
これに対し、本実施形態のフォルダ１０によれば、段差張出部１４を設けたことにより、指を大きく移動させることなく簡単にページめくりを行うことができる。
【００４１】
また、実施形態に係るフォルダ１０では、見出片１３ａ〜１３ｅとは別の部分に段差張出部１４を設けたことにより、見出片１３ａ〜１３ｅに手で触れることなくページを開くことができる。
【００４２】
その結果、使用中に見出片１３ａ〜１３ｅが汚れたり、記入した文字が消失するといった問題を防止できる。
【符号の説明】
【００４３】
１０…フォルダ、１１…台紙シート（裏表紙）、１２ａ〜１２ｄ…仕切シート、１２ｅ…表紙シート（表表紙）、１３ａ〜１３ｅ…見出片、１４…段差張出部、１４ａ〜１４ｄ…張出部。１５ａ、１５ｂ…溶着部。
【図１】
0003202996.tif 000003
【図２】
0003202996.tif 000004
【図３】
0003202996.tif 000005
【図４】
0003202996.tif 000006
【図５】
0003202996.tif 000007